(57)【要約】【課題】装着者に対して与える不快感を軽減可能なフェイスガードを提供する。【解決手段】装着者Ｈの少なくとも口元前方を覆う保護部１０と、保護部１０を着脱自在に支持し、長手方向両端部が互いに連結されてリング状態となることにより装着者Ｈに装着可能な装着帯２０とを備え、装着帯２０は、リング状態において内側に突出して装着者Ｈと当接することにより、装着帯２０の一部と装着者Ｈとの間に空間を画成する複数の当接板２３ａ〜２３ｃを有した。【選択図】図２
0003228529.tif 000002
【実用新案登録請求の範囲】
【請求項１】
装着者の少なくとも口元前方を覆う保護部と、
前記保護部を着脱自在に支持し、長手方向両端部が互いに連結されてリング状態となることにより装着者に装着可能な装着帯と
を備え、
前記装着帯は、前記リング状態において内側に突出して装着者と当接することにより、前記装着帯の一部と装着者との間に空間を画成する複数の当接部を有する
ことを特徴とするフェイスガード。
【請求項２】
前記当接部は、前記装着帯に設けられた可撓性を有する平板部が円弧状に湾曲することにより形成される
ことを特徴とする請求項１記載のフェイスガード。
【請求項３】
前記平板部は、長手方向一端部が前記装着帯と一体的に連結され、長手方向他端部が前記装着帯における前記平板部の一端部近傍に形成された孔部に挿通されることにより該装着帯に連結され、該連結によって前記湾曲状態を維持する
ことを特徴とする請求項２記載のフェイスガード。
【請求項４】
前記装着帯に形成された略コ字状の折曲部が折り曲げられることにより、開口面が前記装着帯の面に対して角度を有する前記孔部が形成される
ことを特徴とする請求項３記載のフェイスガード。
【請求項５】
前記当接部は、装着者の両側頭部及び額にそれぞれ当接可能に３つ設けられる
ことを特徴とする請求項１〜請求項４のいずれか一項に記載のフェイスガード。
【請求項６】
前記装着帯は、装着者の両側頭部近傍及び前頭部近傍において前記保護部を着脱自在に支持する
ことを特徴とする請求項１〜請求項５のいずれか一項に記載のフェイスガード。
【考案の詳細な説明】
【技術分野】
【０００１】
この明細書に開示される技術は、装着者の顔を保護するフェイスガードに関する。
【背景技術】
【０００２】
従来、この種のフェイスガードとしては、下記特許文献１記載の防護具が知られている。この防護具は、装着者の頭部に取り付け可能なヘッドギア部と、前記ヘッドギア部に取り付けられており、装着した際の前記装着者の両側頭部の位置を軸として回動可能に支持されている帯状の回動部と、前記装着者の顔面部と所定距離を保持しつつ、前記回動部の下縁部から延設されているとともに、装着した際の前記装着者の顔面部の手前に位置するように設けられている透明部と、前記透明部の下縁部から延設されているとともに、装着した際の前記装着者の胸元の手前に位置するように設けられている前掛け部と、を備えることを特徴としている。これによれば、眼鏡を掛けていてもそのまま装着できるだけでなく、顔、首および胸元も防護することができる防護具を提供できる。
【先行技術文献】
【特許文献】
【０００３】
【特許文献１】実用新案登録第３２２０３２７号
【考案の概要】
【考案が解決しようとする課題】
【０００４】
しかしながら、上記のフェイスガード含め、従来のフェイスガードは、装着者の頭部にヘッドギアが一様に当接することとなるため、長時間装着する場合は不快感を装着者に与えてしまうという問題があった。これは工場内等の高温高湿度の環境下において、特に顕著である。
【０００５】
本考案は上述した問題点を解決するためになされたものであり、装着者に対して与える不快感を軽減可能なフェイスガードを提供することを目的とする。
【課題を解決するための手段】
【０００６】
上述した課題を解決するため、本考案の一態様は、装着者の少なくとも口元前方を覆う保護部と、前記保護部を着脱自在に支持し、長手方向両端部が互いに連結されてリング状態となることにより装着者に装着可能な装着帯とを備え、前記装着帯は、前記リング状態において内側に突出して装着者と当接することにより、前記装着帯の一部と装着者との間に空間を画成する複数の当接部を有することを特徴とする。
【考案の効果】
【０００７】
本考案によれば、装着者に対して与える不快感を軽減可能なフェイスガードを提供することができる。
【図面の簡単な説明】
【０００８】
【図１】第１の実施形態に係るフェイスガードを示す概略側面図である。
【図２】第１の実施形態に係るフェイスガードを示す概略平面図である。
【図３】第１の実施形態に係るフェイスガードの保護部を示す平面図である。
【図４】第１の実施形態に係るフェイスガードの装着帯を示す平面図である。
【図５】装着帯がリング状態にない装着帯両端部を示す図である。
【図６】装着帯がリング状態にある装着帯両端部を示す図である。
【図７】装着帯における当接板の湾曲状態への移行方法を説明するための概略側面図である。
【図８】装着帯の折曲部の折曲状態を示す斜視図である。
【図９】折曲部により形成される孔部に連結する前の当接板を示す斜視図である。
【図１０】折曲部により形成される孔部に連結した後の当接板を示す斜視図である。
【図１１】第２の実施形態に係るフェイスガードの保護部を示す平面図である。
【図１２】第２の実施形態に係るフェイスガードの装着帯を示す平面図である。
【図１３】第２の実施形態に係るフェイスガードを示す概略正面図である。
【図１４】第２の実施形態に係るフェイスガードを示す概略側面図である。
【図１５】第１の変形例に係るフェイスガードを示す概略正面図である。
【図１６】第２の変形例に係るフェイスガードを示す概略正面図である。
【考案を実施するための形態】
【０００９】
以下、本考案に係る実施形態について図面を参照しつつ説明する。なお、本明細書及び図面において、実質的に同一の機能を有する構成要素については、同一の符号を付することにより重複説明を省略する。
【００１０】
＜第１の実施形態＞
図１は本実施形態に係るフェイスガードを示す概略側面図であり、図２はその概略平面図である。図１及び図２において符号Ｈは装着者を示しており、符号Ｆは装着者Ｈの顔を示している。図１及び図２に示されるように、本実施形態に係るフェイスガード１は、装着者Ｈの顔Ｆの前方を覆い保護するように湾曲する保護部１０と、装着者Ｈの頭部に装着可能にリング状をなし、その一部で保護部１０を支持することにより装着者Ｈの顔Ｆに対する保護部１０の位置を固定する装着帯２０とを備える。
【００１１】
（保護部１０）
先ず、保護部１０の構成について説明する。図３は本実施形態に係る保護部を示す平面図である。図３において保護部１０は、装着帯２０に取り付ける前の平板状に展開された状態で示されている。
【００１２】
図３に示されるように保護部１０は略矩形をなし、短手方向一方側における長手方向両端部に大きくＲが形成された可撓性を有するシート状物である。保護部１０は、装着者Ｈの顔前方を覆うため、透明性を有する樹脂材料により構成することが好ましい。このような樹脂部材としては、ＰＰ（polypropylene）やＰＣ（polycarbonate）、ＰＥＴ（polyethylene terephthalate）等が挙げられる。
【００１３】
保護部１０の短手方向他端側における長手方向両端部近傍（図中上部２隅）には、それぞれ係止部１２が設けられている。係止部１２には、互いに離間する方向に湾曲する弧状の一対のスリット１２１が設けられており、これにより保護部１０の表裏いずれの側にも撓むことができる半円状の一対の係止片１２２が形成されている。この一対の係止片１２２は、保護部１０を装着帯２０に取り付ける際に用いられる。具体的には、長手方向一端側の係止部１２ａにおける一対の係止片１２２ａは、図１に示されるように後述する係止孔２４ａにそれぞれ挿入される。この時、一対の係止片１２２ａとその近傍における保護部１０の本体部分とで係止孔２４ａの縁部分をそれぞれ挟み込むこととなり、一対の係止片１２２ａが係止孔２４ａにより係止される。また、図１では示されていないが、長手方向他端側の係止部１２ｂにおける一対の係止片１２２ｂも同様に、後述する係止孔２４ｂにそれぞれ挿入される。これにより、保護部１０は装着帯２０に支持されることとなる。
【００１４】
なお、一対の係止片１２２が後述する係止孔２４にそれぞれ挿入された際、スリット１２１の端部が係止孔２４の縁部に接触する。この接触による当該端部の裂けを防止するための返しとして、スリット１２３を当該端部にそれぞれ設けることが好ましい。
【００１５】
また、一対の係止片１２２は、それらの中心が保護部１０の短手方向他端側における辺から角度Ｒを有して傾斜するように形成されている。この傾斜により、図１に示されるように装着帯２０に対して保護部１０を取り付けた際、装着者Ｈの顔の上方から下方にかけて顔Ｆから漸次離間するように保護部１０が傾斜することとなる。これにより装着者Ｈと保護部１０との特に口元との離間距離を目や鼻部分と比較して大きくとることができ、会話時における装着者Ｈの不快感、例えば息の反射や湿気による曇りを軽減することができる。このような角度Ｒは例えば１４°前後である。なお、当該角度の値に角度Ｒを限定するものではなく、装着者Ｈの使用環境等に応じて適宜設定すればよい。
【００１６】
（装着帯２０）
次に、装着帯２０の構成について説明する。図４は本実施形態に係る装着帯を示す平面図である。図５は装着帯がリング状態にない装着帯両端部を示す図であり、図６は装着帯がリング状態にある装着帯両端部を示す図である。図４において装着帯２０は、保護部１０が取り付けられる前の平帯状に展開された展開状態で示されている。また、図４における符号Ａは後述する当接板の一端部を拡大して示している。
【００１７】
図４に示されるように、装着帯２０は、展開状態においては長尺の帯状に形成された可撓性を有するシート状物である。装着帯２０は、使用する際には両端部が連結されて図２に示されるようにリング状にされ、図１に示されるように装着者Ｈの頭部（額）に装着される所謂ヘッドバンドとして機能する。装着帯２０は、リング状にして使用されるため、ある程度の剛性を有して撓むことができる樹脂材料により構成することが好ましい。このような樹脂材料としては、例えば厚さ０．７ｍｍ、引張弾性率１．２Ｇｐａ前後のＰＰ（polypropylene）等が挙げられる。
【００１８】
装着帯２０は、長手方向一端部に連結孔２２ａが設けられており、連結孔２２ａから長手方向他端部側にかけて順に当接板２３ａ、係止孔２４ａ、折曲部２５ａ、当接板２３ｃ、折曲部２５ｃ、調節板２６、折曲部２５ｂ、係止孔２４ｂ、当接板２３ｂ、連結孔２２ｂが設けられている。本実施形態においては、連結孔２２ａ、当接板２３ａ、係止孔２４ａ、及び折曲部２５ａと、連結孔２２ｂ，当接板２３ｂ、係止孔２４ｂ、及び折曲部２５ｂとは装着帯２０の長手方向中央を境に線対象の関係となっている。
【００１９】
連結孔２２ａ，２２ｂは、装着帯２０の短手方向に延在する矩形に形成されており、装着帯２０をリング状にする際に調節板２６がそれぞれ挿通されることでリング状態を維持することができる。調節板２６は装着帯２０の長手方向に延在する略矩形に形成されており、装着帯２０を切り抜く形で設けられているため、装着帯２０から分離することができ、分離状態において使用される。具体的には、図５及び図６に示されるように、装着帯２０をリング状にして長手方向両端部を近接させ、調節板２６の長手方向一端部を連結孔２２ａに挿通すると共に、他端部を連結孔２２ｂに挿通する。これにより調節板２６を介して連結孔２２ａ，２２ｂを互いに連結することができる。
【００２０】
調節板２６の一対の長辺部分には、長手方向において同位置に対をなして互いに離間する方向に突出する一対の調節突起２６１が、長手方向に沿って一定間隔で複数（ここでは６つ）設けられている。連結孔２２ａ，２２ｂは、装着帯２０の短手方向長さが調節板２６の本体部分の同方向長さよりも僅かに長く形成されているが、一対の調節突起２６１の長さよりは短い。したがって、調節板２６は、連結孔２２ａ，２２ｂに挿通する場合、調節突起２６１が引っ掛かるが、一対の調節突起２６１が弾性変形するように調節板２６を連結孔２２ａ，２２ｂに押し込むことで連結孔２２ａ，２２ｂを通過できる。通過後は調節突起２６１が略元の形状に戻るため、連結孔２２ａ，２２ｂから調節板２６が容易に抜けることはない。また、一対の調節突起２６１が複数設けられることにより、連結孔２２ａ，２２ｂの接近距離を調節することができるため、様々な装着者Ｈのサイズに対応することができる。
【００２１】
当接板２３ａ，２３ｂは、装着帯２０に略コ字状のスリットが設けられることで、装着帯２０の長手方向に沿って延在する矩形に形成されている。当接板２３ａ，２３ｂの長手方向における一端部は、符号Ａの拡大部分に示されるように、一対の切欠き２３１が形成されることにより、その先端側にヘッド２３２が形成されている。ヘッド２３２の先端は、短手方向長さが僅かに狭まるように先細りの形状をなしている。一方、当接板２３ａ，２３ｂの長手方向における他端部（装着帯２０の中央寄りの端部）は、スリットが設けられておらず、装着帯２０と一体となっている。これにより当接板２３ａ，２３ｂは、当該一体となった他端部を軸に装着帯２０に対して表裏いずれの側にも折り曲げ可能となっている。当接板２３ｃは、当接板２３ａ，２３ｂの間に位置しており、当接板２３ａより長尺である以外は当接板２３ａと同様のものである。なお、当接板２３ｃ及びこれに対応する折曲部２５ｃは、当接板２３ｃが後述する湾曲状態となった場合に装着帯２０の中央に位置するよう、設けることが好ましい。
【００２２】
折曲部２５ａ〜２５ｃは、装着帯２０に大小２つの略コ字状のスリットが設けられることで、Ｕ字状に形成されている。折曲部２５ａ〜２５ｃは、その一部が装着帯２０と一体となっており、当該一部を軸に折り曲げることにより、後に詳述する孔部２５１（図７及び図８参照）が形成される。
【００２３】
当接板２３ａ〜２３ｃは、前述した他端部を軸に折り曲げ、当該他端部近傍に設けられた対応する折曲部２５ａ〜２５ｃの孔部２５１にそれぞれヘッド２３２を挿通することにより略円弧状をなす湾曲状態とすることができる。以下、当接板２３ａを例にとり、当接板２３ａの湾曲状態への移行方法を説明する。
【００２４】
図７は、当接板の湾曲状態への移行方法を説明するための概略側面図であり、図８は、装着帯の折曲部の折曲状態を示す斜視図である。図９は、折曲部により形成される孔部に連結する前の当接板を示す斜視図であり、図１０は折曲部により形成される孔部に連結した後の当接板を示す斜視図である。図７〜図１０における符号Ｂ〜Ｄは、当接板や折曲部等の要素を動かす方向を示している。
【００２５】
図７及び図８に示されるように、折曲部２５ａをＢ方向に折り曲げて起立した状態とすると、装着帯２０の本体部分の表面との間に、開口面が当該表面に対して角度を有する孔部２５１が形成されることとなる。そして、図７に示されるように当接板２３ａをＣ方向に折り曲げて起立した状態とし、さらにＤ方向に折り曲げて図９に示されるように湾曲状態とする。孔部２５１の短手方向長さは、ヘッド２３２の先端及び切欠き２３１よりも長いが、当接板２３ａの本体部分以下となっている。換言すれば、ヘッド２３２において最も短手方向長さが長い部分（切欠き２３１に隣接している部分）は、その短手方向長さが孔部２５１以上となっている。したがって、ヘッド２３２を孔部２５１に押し込むように弾性変形させて挿通させると、ヘッド２３２が略元の形状に戻ることにより、図１０に示されるように切欠き２３１が折曲部２５ａに引っ掛かる形で係止される。これにより当接板２３ａと折曲部２５ａとを連結した状態とすることができ、当接板２３ａは元の平板状に戻ることなく湾曲状態が維持されることとなる。
【００２６】
なお、折曲部２５ａ〜２５ｃは、その弾性力によりＢ方向とは逆方向に戻る力が作用する。そのため、折曲部２５ａ〜２５ｃにより形成される孔部２５１に、当接板２３ａ〜２３ｃのヘッド２３２を挿通させる際、折曲部２５ａ〜２５ｃはヘッド２３２に接近する方向に倒れる。したがって、ヘッド２３２から離間する方向であるＢ方向に倒れる場合と比較して、挿通を良好に行うことができると共に、孔部２５１から抜け難くされている。
【００２７】
以上に説明した本実施形態によれば、当接板２３ａ〜２３ｃを湾曲状態とし、装着帯２０をリング状態として装着者Ｈがフェイスガード１を装着した場合、図２に示されるように当接板２３ａ〜２３ｃがそれぞれ内側に突出する形となって装着者Ｈの頭部に当接する。より具体的には、当接板２３ａ，２３ｂがそれぞれ装着者Ｈの側頭部に当接し、当接板２３ｃが装着者Ｈの前頭部に当接することにより、装着者Ｈの頭部は、装着帯２０の連結部分と、当接板２３ａ〜２３ｃとにのみ当接することとなる。これにより装着帯２０の一部、即ち当接部分以外と装着者Ｈの頭部との間に空間を画成することができる。したがって装着者Ｈは、装着帯２０と一様に接する場合と比較して接触面積を小さくすることができ、不快感を軽減することができる。特に、頭部との間に適度な空間が画成され、空気の流動を生じさせることができるスペーサとして当接板２３ａ〜２３ｃが機能することから、夏場の工場等の高温多湿の環境下においては極めて有用である。
【００２８】
また、当接板２３ａ〜２３ｃは可撓性を有して湾曲状態となっているため、フェイスガード１がドアや棚にぶつかった際の衝撃を緩和することができる。また、装着者Ｈの頭部のサイズに応じて湾曲することもできるため、様々な装着者Ｈが良好に装着することが可能となる。また、本実施形態において当接板２３ｃは、当接板２３ａ，２３ｂよりも長手方向に長く形成され、湾曲状態の円周が長くされている。これにより、装着者Ｈの前方の空間をより広くとることができる。
【００２９】
なお、本実施形態においては当接板２３ａ〜２３ｃを３つ設けると説明したが。これに限定されるものではない。少なくとも１つ設けられていれば、装着帯２０の接触面積を低減することができる。またそれが装着者Ｈの前頭部であれば、額との間に空間を画成することができるため好ましい。
【００３０】
＜第２の実施形態＞
図１１は、本実施形態に係るフェイスガードの保護部を示す平面図であり、図１２は、本実施形態に係るフェイスガードの装着帯を示す平面図である。図１３は、本実施形態に係るフェイスガードを示す概略正面図であり、図１４はその概略側面図である。なお、説明上、図１３では装着帯２０Ａに関し、係止孔２４ｃ以外を省略している。図１１及び図１２に示されるように、本実施形態においては、保護部１０Ａの形状が変更されている点、保護部１０の略中央上部に係止部１２ｃが形成され、装着帯２０Ａの略中央部に係止孔２４ｃが形成されている点が主として第１の実施形態と異なる。
【００３１】
保護部１０Ａは、図１１に示されるように、短手方向上部分が湾曲状に切欠かれると共に、下部分が大きく略半円状に形成されており、全体的に略円弧状をなしている。係止部１２ｃは、図１１に示されるように、保護部１０Ａの長手方向略中央に設けられて係止部１２ａ，１２ｂと同形状に形成されたものであり、これらと同一の機能を有している。具体的には、係止部１２ｃにおける一対の係止片１２２ｃが、後述する係止孔２４ｃにそれぞれ挿入することができる。係止部１２ａ〜１２ｃは、保護部１０Ａの上部分における湾曲状の切欠きに沿うように配置されており、したがって係止部１２ｃは係止部１２ａ，１２ｂと比較して下方に位置している。係止部１２ａ〜１２ｃは、当該切欠きからそれぞれ同距離離間していることが好ましい。
【００３２】
これにより、図１３に示されるように、保護部１０Ａを装着帯２０Ａに取り付けた際、保護部１０Ａが装着帯２０Ａから上方へ突出せず、好ましくは保護部１０Ａと装着帯２０Ａとを上部において面一とすることができる。したがって、保護部１０Ａが装着帯２０Ａから上方へ突出する第１の実施形態に係るフェイスガード１と比較して、意匠性を向上できるばかりか、装着者Ｈの頭部における熱のこもりを軽減でき、装着時の不快感を軽減することができる。
【００３３】
係止孔２４ｃは、図１２に示されるように、装着帯２０Ａの長手方向略中央に設けられて係止孔２４ａ，２４ｂと同形状に形成されたものであり、同一の機能を有している。上述したように、係止部１２ｃにおける一対の係止片１２２ｃが、係止孔２４ｃにそれぞれ挿入されることにより、図１３に示されるように、装着者Ｈの顔Ｆの略中央においても装着帯２０Ａが保護部１０Ａを支持することができる。したがって、係止部１２ａ及び係止孔２４ａと、係止部１２ｂ及び係止孔２４ｂとの２点で保護部１０を支持する第１の実施形態に係るフェイスガード１と比較して、中央部分を含めた３点で保護部１０Ａを支持するフェイスガード１Ａによれば、装着帯２０Ａに対して保護部１０Ａを容易に外れることなく強固に取り付けることができる。このことから、例えば装着者Ｈが歩行等の運動を行ったとしても、保護部１０Ａが上下に揺動することはない。
【００３４】
また、図１４に示されるように、中央部分を含めた３点で保護部１０Ａを支持するフェイスガード１Ａによれば、保護部１０Ａを略垂直にして装着帯２０Ａに取り付けることができる。
【００３５】
なお、第１及び第２の実施形態では、装着帯２０，２０Ａを装着者Ｈの頭部に装着すると説明したが、必ずしも頭部に装着帯２０を装着させる必要はない。第２の実施形態に係るフェイスガード１Ａを例にとると、図１５に示されるように、フェイスガード１Ａを上下逆にして装着帯２０Ａを首にかけて使用してもよい。この時、調節板２６により装着帯２０Ａの周長を調節する等することが好ましい。このようにすることで保護部１０Ａにより装着者Ｈの口元や鼻、目を覆うことが可能となり、フェイスガードとしての機能を本来の機能を十分実現することができる。これは第１の実施形態に係るフェイスガード１においても同様である。
【００３６】
また、図１６に示されるように、保護部１０Ａの係止部１２ｃを係止部１２ｄ、係止孔２４ｃを係止孔２４ｄとしたフェイスガード１Ｂにおいても、フェイスガード１Ａにおける一部の機能を実現することができる。具体的には、係止部１２ｄは、一対の係止片１２２における一方のみからなる係止片１２２ｄが、下方に向くように配設されており、係止孔２４ｄが係止孔２４ｃよりも短手方向が更に短い細長な形状となっている。これによれば、係止部１２ｄが係止孔２４ｄに上方から挿入される形で係止されるため、保護部１０Ｂの下方への移動をフェイスガード１Ａと同様に規制することができる。
【００３７】
本考案は、その要旨または主要な特徴から逸脱することなく、他の様々な形で実施することができる。そのため、前述の実施形態は、あらゆる点で単なる例示に過ぎず、限定的に解釈してはならない。本考案の範囲は、実用新案登録請求の範囲によって示すものであって、明細書本文には、何ら拘束されない。更に、実用新案登録請求の範囲の均等範囲に属する全ての変形、様々な改良、代替および改質は、全て本考案の範囲内のものである。
【符号の説明】
【００３８】
１  フェイスガード
１０  保護部
２０  装着帯
２３ａ〜２３ｃ  当接板（当接部、平板部）
２５ａ〜２５ｃ  折曲部
２５１  孔部
【図１】
0003228529.tif 000003
【図２】
0003228529.tif 000004
【図３】
0003228529.tif 000005
【図４】
0003228529.tif 000006
【図５】
0003228529.tif 000007
【図６】
0003228529.tif 000008
【図７】
0003228529.tif 000009
【図８】
0003228529.tif 000010
【図９】
0003228529.tif 000011
【図１０】
0003228529.tif 000012
【図１１】
0003228529.tif 000013
【図１２】
0003228529.tif 000014
【図１３】
0003228529.tif 000015
【図１４】
0003228529.tif 000016
【図１５】
0003228529.tif 000017
【図１６】
0003228529.tif 000018